(57)【要約】【課題】吸込力が低下しにくく、ごみも捨てやすい電気掃除機を提供する。【解決手段】吸引口６から吸引した塵埃を含む空気に旋回気流を生じさせるケース上部２２ａと、ケース上部２２ａの下方に位置し、内部に中空状の除塵フィルター２７を有するとともに除塵フィルター２７の外周に空間部３４を有したケース中央部２２ｂよりなる塵埃分離部２３と、塵埃分離部２３の下方にそれと連通した状態で配され、塵埃分離部２３で分離された塵埃を収容する塵埃収容部２４とを備え、ケース上部２２ａで旋回気流となった空気は、除塵フィルター２７の中空部を下降すると共に、除塵フィルター２７を通過した空気は、空間部３４を通って電動送風機２１に到達する構成とし、塵埃収容部２４の内径を塵埃分離部２３の内径よりも大きくし、塵埃収容部２４内に、外径が塵埃分離部２３の内径より大きく塵埃収容部２４の内径より小さい略円板状の隔壁板４０を設けた。【選択図】図２
2012135416.tif 000002
【特許請求の範囲】
【請求項１】
吸引力を発生させる電動送風機と、前記電動送風機により塵埃を含んだ空気を吸引する吸引口を有し、前記吸引口から吸引した空気に旋回気流を生じさせるケース上部と、前記ケース上部の下方に配置され、内部に中空状の除塵フィルターを有するとともに前記除塵フィルターの外周方向に空間部を有したケース中央部よりなる塵埃分離部と、前記塵埃分離部の下方に前記塵埃分離部と連通した状態で配置され、前記塵埃分離部で分離された塵埃を収容する塵埃収容部とを備え、前記吸引口から導入され前記ケース上部で旋回気流となった空気は、前記除塵フィルターの中空部を下降すると共に、前記除塵フィルターを通過した空気は、前記空間部を通って前記電動送風機に到達する構成とし、前記塵埃収容部の内径を前記塵埃分離部の内径よりも大きく構成し、前記塵埃収容部内には略円板状の隔壁板を設け、その隔壁板の外径を、前記塵埃分離部の内径より大きく前記塵埃収容部の内径より小さくしたことを特徴とする電気掃除機。
【請求項２】
隔壁板を、塵埃分離部と塵埃収容部の境界より下方に、１０ｍｍ〜２０ｍｍの範囲で設けた請求項１に記載の電気掃除機。
【請求項３】
隔壁板を、塵埃収容部の下端に設けた開閉可能な開閉蓋と連結した請求項１又は２に記載の電気掃除機。
【請求項４】
隔壁板と塵埃分離部とを、旋回方向に向いたリブで連結した請求項１又は２に記載の電気掃除機。
【請求項５】
隔壁板の上面側を略円錐形状とした請求項１〜４のいずれか１項に記載の電気掃除機。
【請求項６】
隔壁板の略中央部に通気孔を設けた請求項１〜４のいずれか１項に記載の電気掃除機。
【請求項７】
通気孔にフィルターを設けた請求項６に記載の電気掃除機。
【請求項８】
隔壁板の下面側に、塵埃収容部の下端に設けた開閉可能な開閉蓋の近傍まで伸びたリブを少なくとも１つ設けた請求項１又は２記載の電気掃除機。
【発明の詳細な説明】
【技術分野】
【０００１】
本発明は、電気掃除機に関するもので、特に、繰り返し使用可能な集塵ケースを使用する電気掃除機に関するものである。
【背景技術】
【０００２】
近年、吸引風の気流に旋回成分を持たせ、遠心力により気流から塵埃を分離除去するタイプの電気掃除機、いわゆるサイクロン型の電気掃除機が注目を浴びている。この種の電気掃除機は、集塵ケース内に旋回気流を発生させて、旋回気流の遠心力により、吸引した空気流から塵埃を分離し、分離した塵埃を集塵ケース内に堆積させる構成であり、集塵ケースと電動送風機との連通部分には除塵フィルターが設けられている（例えば、特許文献１参照）。
【先行技術文献】
【特許文献】
【０００３】
【特許文献１】特開２００８−２２９２７９号公報
【発明の概要】
【発明が解決しようとする課題】
【０００４】
しかしながら、上記特許文献１に記載されたような従来の電気掃除機の構成では、集塵ケースと電動送風機との連通部分には通常除塵フィルターが設けられており、塵埃を分離した後の気流が除塵フィルターを通過することが理想であるが、集塵ケース内に堆積したまたは堆積しようとしている塵埃は、旋回流により多少は流動することが避けられない。すなわち塵埃が再舞い上がり等を生じてしまい、除塵フィルターに塵埃が付着しこれが通気抵抗となり吸引力の低下になる、という課題を有していた。
【０００５】
また塵埃が流動することで集塵ケース内への収まりが悪くなることや除塵フィルターに塵埃の引っ掛かりが少しでも生じると、ユーザーがごみを捨てる時に塵埃が簡単に排出できなかったり、塵埃が舞い上がるという課題もある。
【０００６】
本発明は、前記従来の課題を解決するもので、塵埃を吸引しても吸込力が低下しにくく、ごみも捨てやすい電気掃除機を提供することを目的とする。
【課題を解決するための手段】
【０００７】
上記従来の課題を解決するために、本発明の電気掃除機は、吸引力を発生させる電動送風機と、前記電動送風機により塵埃を含んだ空気を吸引する吸引口を有し、前記吸引口から吸引した空気に旋回気流を生じさせるケース上部と、前記ケース上部の下方に配置され、内部に中空状の除塵フィルターを有するとともに前記除塵フィルターの外周方向に空間部を有したケース中央部よりなる塵埃分離部と、前記塵埃分離部の下方に前記塵埃分離部と連通した状態で配置され、前記塵埃分離部で分離された塵埃を収容する塵埃収容部とを備え、前記吸引口から導入され前記ケース上部で旋回気流となった空気は、前記除塵フィルターの中空部を下降すると共に、前記除塵フィルターを通過した空気は、前記空間部を通って前記電動送風機に到達する構成とし、前記塵埃収容部の内径を前記塵埃分離部の内径よりも大きく構成し、前記塵埃収容部内には略円板状の隔壁板を設け、その隔壁板の外径を、前記塵埃分離部の内径より大きく前記塵埃収容部の内径より小さくしたもので、これにより、吸引口から導入され塵埃分離部で旋回気流となった塵埃を含んだ空気は、旋回気流通風路の表面をらせん状に旋回しながら旋回気流通風路の下方に設けた塵埃収容部へと導かれ、除塵フィルターに戻る二次気流として発生する舞い上がりの気流に塵埃が万が
一含まれていたとしても隔壁板のところで塵埃収容部へと導かれる旋回気流に押し返され戻りにくくし、２次気流のみが除塵フィルターへ戻るようにしたもので、結果、前記塵埃収容部への塵埃の収まりが向上することと除塵フィルターの塵埃による目詰まり、塵埃の引っ掛かりを防ぐことができ高い吸込仕事率を長期間維持することと、それによる長期間メンテナンス不要のメンテナンス性の向上と塵埃収容部に塵埃が堆積しやすくごみを捨てやすい使いやすいものとしている。
【発明の効果】
【０００８】
本発明の電気掃除機は、除塵フィルターの目詰まりをほぼ完全に防いで、高い吸込仕事率を長期間維持して、長期間メンテナンスが不要となり、メンテナンス性が向上すると共に、ごみを捨てる時の利便性に優れたものである。
【図面の簡単な説明】
【０００９】
【図１】本発明の実施の形態１における電気掃除機の全体構成を示す図
【図２】同電気掃除機の掃除機本体の縦断面図
【図３】（ａ）同電気掃除機の集塵ケースの正断面図、（ｂ）同集塵ケースの側断面図、（ｃ）図３（ｂ）のＡ−Ａ断面図、（ｄ）図３（ｂ）のＢ−Ｂ断面図
【図４】（ａ）同電気掃除機の集塵ケースの吸引口付近の気流を示す平断面図、（ｂ）同集塵ケースの除塵フィルター付近の気流の流れを示す平断面図、（ｃ）同集塵ケースにおける縦方向の気流の流れを示す縦断面図
【図５】（ａ）同電気掃除機の隔壁板の配置を示す集塵ケースの側断面図、（ｂ）図５（ａ）のＣ−Ｃ断面図（隔壁板における塵埃と気流の流れを示す）
【図６】（ａ）同集塵ケースの他の例を示す側断面図、（ｂ）同集塵ケースのごみ捨て時の様子を示す側断面図
【図７】（ａ）同集塵ケースの他の例を示す側断面図、（ｂ）図７（ａ）のＤ−Ｄ断面図
【図８】同集塵ケースの他の例を示す側断面図
【図９】同集塵ケースの他の例を示す側断面図
【図１０】同集塵ケースの他の例を示す側断面図
【図１１】同集塵ケースの他の例を示す側断面図
【発明を実施するための形態】
【００１０】
第１の発明は、吸引力を発生させる電動送風機と、前記電動送風機により塵埃を含んだ空気を吸引する吸引口を有し、前記吸引口から吸引した空気に旋回気流を生じさせるケース上部と、前記ケース上部の下方に配置され、内部に中空状の除塵フィルターを有するとともに前記除塵フィルターの外周方向に空間部を有したケース中央部よりなる塵埃分離部と、前記塵埃分離部の下方に前記塵埃分離部と連通した状態で配置され、前記塵埃分離部で分離された塵埃を収容する塵埃収容部とを備え、前記吸引口から導入され前記ケース上部で旋回気流となった空気は、前記除塵フィルターの中空部を下降すると共に、前記除塵フィルターを通過した空気は、前記空間部を通って前記電動送風機に到達する構成とし、前記塵埃収容部の内径を前記塵埃分離部の内径よりも大きく構成し、前記塵埃収容部内には略円板状の隔壁板を設け、その隔壁板の外径を、前記塵埃分離部の内径より大きく前記塵埃収容部の内径より小さくしたもので、これにより、吸引口から導入され塵埃分離部で旋回気流となった塵埃を含んだ空気は、旋回気流通風路の表面をらせん状に旋回しながら旋回気流通風路の下方に設けた塵埃収容部へと導かれ、除塵フィルターに戻る二次気流として発生する舞い上がりの気流に塵埃が万が一含まれていたとしても隔壁板のところで塵埃収容部へと導かれる旋回気流に押し返され戻りにくくし、２次気流のみが除塵フィルターへ戻るようにしたもので、結果、前記塵埃収容部への塵埃の収まりが向上することと除塵フィルターの塵埃による目詰まり、塵埃の引っ掛かりを防ぐことができ高い吸込仕事率を長期間維持することと、それによる長期間メンテナンス不要のメンテナンス性の向上と
塵埃収容部に塵埃が堆積しやすくごみを捨てやすい使いやすいものとしている。
【００１１】
第２の発明は、特に、第１の発明の隔壁板を、塵埃分離部と塵埃収容部の境界より下方に、１０ｍｍ〜２０ｍｍの範囲で設けたもので、塵埃の引っ掛かりがほとんどなく、しかも塵埃が戻りにくくなる効果が損なわれない。
【００１２】
第３の発明は、特に、第１又は第２の発明の隔壁板を、塵埃収容部の下端に設けた開閉可能な開閉蓋と連結したもので、塵埃収容部に溜まった塵埃を捨てる時に、開閉蓋と一緒に隔壁板も回動し開くため塵埃が詰まりあるいは引っかかることなく、また引っかかったとしても押し出す作用が働きスムーズに塵埃を捨てることができるものである。
【００１３】
第４の発明は、特に、第１又は第２の発明の隔壁板と塵埃分離部とを、旋回方向に向いたリブで連結したもので、隔壁板の塵埃を、旋回方向に向いたリブで流れを効率よく塵埃収容部に流入させる働きがあり、塵埃の塵埃収容部への堆積がよくなるものである。
【００１４】
第５の発明は、特に、第１〜４のいずれか一つの発明の隔壁板の上面側を略円錐形状としたもので、旋回気流の塵埃収容部に流入する旋回気流の勢いを強くすることができ塵埃の塵埃収容部への堆積がよくなるものである。
【００１５】
第６の発明は、第１〜４のいずれか一つの発明の隔壁板の略中央部に通気孔を設けたもので、気流の戻る通路が隔壁板の一部でなく確保できるため非常に効率よく塵埃収容部に塵埃を堆積させることができる。
【００１６】
第７の発明は、第６の発明の通気孔にフィルターを設けたもので、塵埃が通気孔を通って塵埃分離室側に戻るのを防止することができ、塵埃収容部への塵埃の堆積を良くすることができる。
【００１７】
第８の発明は、特に、第１又は第２の発明の隔壁板の下面側に、塵埃収容部の下端に設けた開閉可能な開閉蓋の近傍まで伸びたリブを少なくとも１つ設けたもので、このリブに塵埃が絡みつき舞い上がり気流に乗って戻ることがより防止できる。加えてこのリブに絡み付いて塵埃が堆積することと、リブの下部が開閉蓋と連結させていないことで塵埃を捨てる時に開閉蓋を開くと塵埃の堆積した重みでリブを抜けるように落とすことができ塵埃をスムーズにかつ舞い上がらなく捨てることができるものである。
【００１８】
以下、本発明の実施の形態について、図面を参照しながら説明する。なお、本実施の形態によって本発明が限定されるものではない。
【００１９】
（実施の形態１）
本発明の実施の形態１における電気掃除機について、図１〜５を用いて説明する。
【００２０】
図１は、本実施の形態における電気掃除機の全体構成を示す図、図２は、同電気掃除機の掃除機本体の縦断面図である。
【００２１】
図１、図２において、本実施の形態における電気掃除機の掃除機本体１内には、吸引気流を発生させる電動送風機２１が内蔵されており、また、掃除機本体１の外部には、車輪３およびキャスター４が取り付けられており、床面を自在に移動できるようになっている。さらに、電動送風機２１の上流側には、通気口２６ａを有する仕切り２６を介して、電動送風機２１により吸引した塵埃を含む空気を導入する集塵ケース５が掃除機本体１に対して着脱自在に設置されている。
【００２２】
集塵ケース５は、径の異なる複数の中空円筒を多段に連ねた形状からなり、本実施の形態１では３段構成で、上段から順に、ケース上部２２ａと、ケース中央部２２ｂと、塵埃を堆積させる塵埃収容部２４からなり、このケース上部２２ａとケース中央部２２ｂとを塵埃分離部２３とするものであり、ケース上部２２ａには、塵埃を含む空気を接線方向より導入する吸引口６を備えている。
【００２３】
集塵ケース５は、吸引口６から最下段の塵埃収容部２４まで連通されており、吸引口６から電動送風機２１に至る風路は、集塵ケース５の塵埃分離部２３に設けた開口部２５にて掃除機本体１の仕切り２６と連通させて形成している。さらに、塵埃分離部２３には、円筒状の除塵フィルター２７を設置している。
【００２４】
また、図１に示すように吸引口６には、吸引ホース７、延長管８が順次接続されており、延長管８の先端に吸込具９を取り付けており、電動送風機２１を運転することにより、家屋内の床面上の塵埃を吸引することができる。
【００２５】
この円筒状の除塵フィルター２７は、本実施の形態１では、上流側に粗塵を濾過するためのフィルターからなる円筒形状の第１の除塵フィルター２７ａと、この第１の除塵フィルターより下流側の外周に設けられ、細塵を濾過するためのフィルターからなる円筒形状の第２の除塵フィルター２７ｂとの２層構造から構成されている。
【００２６】
この第１の除塵フィルター２７ａと第２の除塵フィルター２７ｂは、集塵ケース５の吸引口６と電動送風機２１とが連通する第１の風路である主風路２９ａの途中に配置されている。
【００２７】
また、吸引口６から電動送風機２１に至る主風路２９ａは、第１の除塵フィルター２７ａ内から第２の除塵フィルター２７ｂの外周の空間全周にわたり設けられている。
【００２８】
次に、図３を用いて、集塵ケース５と円筒状の除塵フィルター２７の詳細について説明する。
【００２９】
図３（ａ）は、同電気掃除機の集塵ケースの正断面図、（ｂ）は、同集塵ケースの側断面図、（ｃ）は、（ｂ）のＡ−Ａ断面図、（ｄ）は、（ｂ）のＢ−Ｂ断面図である。
【００３０】
図３（ａ）に示すように、集塵ケース５は、縦型の中空円筒を３段に連ねた形状であり、吸引口６は、図３（ｃ）に示すように、ケース上部２２ａの円周断面の接線方向から気流が流入するように、偏心した位置に配置されている。
【００３１】
本実施の形態１では、集塵ケース５を中空円筒としたが、円筒は、真円に限定せず楕円形状、８角形や１０角形などの多角形形状等でもよく、吸引口６より接線方向から流入した気流が、集塵ケース５の内面に沿って旋回気流が生じる形状であれば良い。
【００３２】
また、円筒状の除塵フィルター２７においても同様に、円筒は真円に限定せず楕円形状や８角形や１０角形などの多角形形状等でもよく、集塵ケース５の内面に沿って発生した旋回気流が、第１の除塵フィルター２７ａ内の円筒中空部においても発生し得る形状であれば良い。また、吸引口６が中央に位置していても案内路やガイド等で旋回気流が発生する構成であれば構わない。
【００３３】
従って、塵埃分離部２３におけるケース上部２２ａの内面に沿って発生した旋回気流ならびに、第１の除塵フィルター２７ａ内の円筒中空部に発生した旋回気流を形成する通路を旋回気流通風路とするものである。
【００３４】
また発生した旋回気流を塵埃収容部２４方向に発生させるよう、ケース上部２２ａに設けた吸引口６の配置は、塵埃分離部２３に設けた開口部２５の上端部より、吸引口６の下端部が上方になるよう配置し、さらに円筒状の除塵フィルター２７の通気部を、吸引口６より塵埃収容部２４側に構成している。
【００３５】
この様に、吸引口６の配置位置を開口部２５より高くし、円筒状の除塵フィルター２７の通気部を、吸引口６より塵埃収容部２４側に構成することで、吸引口６からケース上部２２ａの接線方向より導入された空気は、開口部２５側の吸引力作用で下方向である塵埃収容部２４方向への旋回気流として発生する。
【００３６】
集塵ケース５の下部には、吸引した塵埃を堆積させる塵埃収容部２４が設けられており、さらに、集塵ケース５の塵埃収容部２４側の底面は、ヒンジ３３を介して開閉自在に設けられた開閉蓋３２となっており、その開閉蓋３２を開くことにより、塵埃収容部２４内の塵埃を排出できるようになっている。
【００３７】
また、図３（ｂ）に示すように、円筒形状の集塵ケース５の吸引口６と塵埃収容部２４の間の内壁には、集塵ケース５と円筒状の除塵フィルター２７間の外側全周にわたり設けた空間部３４が形成されており、集塵ケース５内部と電動送風機２１の吸引口（図示せず）がこの空間部３４を介して連通することとなる。
【００３８】
さらに、集塵ケース５のケース上部２２ａの内面は、円筒状の除塵フィルター２７を構成する内側の第１の除塵フィルター２７ａの内面と全体として１つの面となっている。
【００３９】
円筒状の除塵フィルター２７は、図３（ｄ）に示すように、円筒形状の集塵ケース５内部を取り囲むように円筒形状となっている。吸引気流に対して上流側に位置する第１の除塵フィルター２７ａは、吸引気流中の塵埃から綿埃、毛髪などの比較的サイズの大きい塵埃（粗塵）を除塵するものであり、下流側に位置する第２の除塵フィルター２７ｂは、粒子径の細かい砂塵、花粉、ダニ糞などの塵埃（細塵）を気流中から除塵するものである。
【００４０】
このように、除塵する塵埃のサイズに応じて複数層の円筒状の除塵フィルター２７を設けることで、除塵フィルター２７の目詰まりの頻度を低減し、風量持続性能を延ばすことができるが、単一層であっても構わない。
【００４１】
ここで、本実施の形態において、第１の除塵フィルター２７ａには、貫通孔径が１００〜３００ミクロンの微小な開口の貫通孔をエッチング加工により多数形成した金属フィルターを用いている。
【００４２】
一方、第２の除塵フィルター２７ｂとしては、不織布、パルプ、ガラス繊維、ＨＥＰＡフィルターなどを用いることができるが、比較的細かい粒子を効率よく除去できる不織布部材などをプリーツ加工しひだ折りした形状部材を連結し、円筒状に設置することで、通気抵抗を低減しながら、除塵性能を確保することができる。また塵埃付着面に、ＰＴＦＥの多孔質部材をコーティングしたフィルターを用いると、塵離れが良くなることから、第２の除塵フィルター２７ｂの目詰まりを抑制することができる点でより好ましい。
【００４３】
以上のように構成された本実施の形態における電気掃除機の動作について、図４を用いて説明する。
【００４４】
図４（ａ）は、同電気掃除機の集塵ケースの吸引口付近の気流を示す平断面図、（ｂ）は、同集塵ケースの除塵フィルター付近の気流の流れを示す平断面図、（ｃ）は、同集塵
ケースにおける縦方向の気流の流れを示す縦断面図である。
【００４５】
電動送風機２１の運転を開始すると、吸引気流が発生し、吸込具９、延長管８、吸引ホース７を通じて、空気と共に、床面からの塵埃が集塵ケース５内に吸い込まれる。このとき、集塵ケース５の吸引口６は、円筒断面に対して接線方向に偏心して設置されているため、図４（ａ）に示すように、吸引口６より流入した気流は、集塵ケース５の円筒断面の接線方向から流入し旋回気流に変化する。
【００４６】
ここで、吸引口６の下端は、開口部２５の上端よりも上部に配置されているため、吸引口６から流入する気流は、旋回成分を持つとともに、下方向への成分も持つこととなる。そのため、集塵ケース５のケース上部２２ａで発生した旋回気流は、旋回しながら下降し、円筒状の除塵フィルター２７付近に到達する。そして、一部の空気は、図４（ｂ）に示すように、第１の除塵フィルター２７ａ、第２の除塵フィルター２７ｂを順次通過し、空間部３４を通って、電動送風機２１に吸引される。
【００４７】
吸引気流と一緒に吸引された塵埃は、気流の流れと共に旋回しながら円筒状の除塵フィルター２７に導かれ、この塵埃の内、髪の毛・糸ゴミなどの粗塵５１は、第１の除塵フィルター２７ａで濾し取られ、砂塵などの細塵５２は、第１の除塵フィルター２７ａを通過し、外側の第２の除塵フィルター２７ｂで濾し取られる。
【００４８】
塵埃分離部２３内、および塵埃収容部２４を合わせた容器内を旋回する含塵空気は、図４（ｃ）に示すように、気流が主風路２９ａに流れ塵埃が分離される。
【００４９】
本実施の形態では、図５（ａ）に示すように、塵埃収容部２４の内径は、塵埃分離部２３の内径よりも大きく構成し、塵埃収容部２４内には、略円板状の隔壁板４０を設け、その隔壁板４０の外径は塵埃分離部２３の内径より大きく塵埃収容部２４の内径より小さくした構成にしている。
【００５０】
塵埃分離部２３と塵埃収容部２４との境界と略円板状の隔壁板４０との隙間、すなわち塵埃が通過する隙間を最適化するに当り色々と検討を行った。集塵ケース５の全体の大きさを考慮して、隙間を、５ｍｍ〜４０ｍｍの範囲で検討した結果、２０ｍｍ以上では、塵埃収容部２４の内径と隔壁板４０の外径との隙間の方に塵埃の引っかかりが見られ、１０ｍｍ〜２０ｍｍの範囲では、塵埃の引っ掛かりがほとんどなくもっとも良好であった。本実施の形態では、この検討結果に基づき、隔壁板４０を、塵埃分離部２３と塵埃収容部２４の境界より１０ｍｍほど下方の位置に設けている。
【００５１】
これにより、吸引口６から導入され塵埃分離部２３で旋回気流となった塵埃を含んだ空気は、旋回気流通風路の表面をらせん状に旋回しながら旋回気流通風路の下方に設けた塵埃収容部２４へと導かれ、除塵フィルター２７に戻る二次気流として発生する舞い上がりの気流に塵埃が万が一含まれていたとしても隔壁板４０のところで塵埃収容部２４へと導かれる旋回気流に押し返され戻りにくくし、２次気流のみが除塵フィルター２７へ戻るようにしたもので、その結果、塵埃収容部２４への塵埃の収まりが向上し、かつ除塵フィルター２７の塵埃による目詰まり、塵埃の引っ掛かりを防ぐことができる。
【００５２】
また、図５（ｂ）に示すように塵埃は、遠心方向に隔壁板４０上を外周方向に押しやられその結果、塵埃収容部２４に入りやすい。
【００５３】
図６は、集塵ケース５の他の例を示すもので、略円板状の隔壁板４０を、塵埃収容部２４の下端に設けた開閉可能な開閉蓋３２と連結させるようにすれば、塵埃収容部２４に溜まった塵埃を捨てる時に、開閉蓋３２と同じように隔壁板４０も回動し開くため、塵埃が
詰まりあるいは引っかかることなく、また引っかかったとしても押し出す作用が働きスムーズに塵埃を捨てることができるものである。
【００５４】
図７は、集塵ケース５の更に他の例を示すもので、図７（ａ）、（ｂ）に示すように、略円板状の隔壁板４０を、旋回方向に向いたリブａ４１を介して、塵埃分離部２３と連結したもので、旋回方向に向いたリブａ４１は、隔壁板４０上の塵埃を効率よく塵埃収容部２４に流入させる働きがあり、塵埃の塵埃収容部２４内での堆積がよくなるものである。
【００５５】
図８は、集塵ケース５の更に他の例を示すもので、図８に示すように、略円板状の隔壁板４０の上面側を、略円錐４２形状としたもので、これにより、塵埃収容部２４に流れ込む旋回気流の勢いを強くすることができ、塵埃の塵埃収容部２４での堆積がよくなるものである。
【００５６】
図９は、集塵ケース５の更に他の例を示すもので、図９に示すように略円板状の隔壁板４０の略中央部に、塵埃収容部２４と塵埃分離部２３を連通する通気孔４３を設けたもので、これにより、気流の戻る通路が隔壁板４０の一部でなく確保できるため非常に効率よく塵埃収容部２４に塵埃を堆積させることができる。更に、図１０に示すように、通気孔４３に通気フィルター４４を設けるようにすれば、通気孔４３を通って戻っていた少しの塵埃も、戻ることがなくなるため塵埃収容部２４への堆積を良くすることができる。
【００５７】
図１１は、集塵ケース５の更に他の例を示すもので、図１１に示すように、略円板状の隔壁板４０の下面側から、開閉蓋３２の近傍まで伸びたリブｂ４５を少なくとも１つ以上設けたものである。
【００５８】
これにより、塵埃がこのリブｂ４５に絡みつき舞い上がり気流に乗って戻ることがより防止できる。加えてこのリブｂ４５に絡み付いて塵埃が堆積することと、リブｂ４５の下部が開閉蓋３２と連結させていないことで、塵埃を捨てる時に開閉蓋３２を開くと、塵埃の堆積した重みでリブｂ４５を抜けるように落とすことができ、塵埃をスムーズにかつ舞い上がらなく捨てることができるものである。
【００５９】
以上のように、本実施の形態によれば、塵埃収容部２４に流入し堆積した塵埃が舞い上がり気流により除塵フィルター２７に再付着するのを、略円板状の隔壁板４０を設けたことにより上方の塵埃分離部２３に戻りにくくし、確実に防止することができる。
【産業上の利用可能性】
【００６０】
以上説明したように、本発明に係る電気掃除機は、略円板状の隔壁板を設けたことにより上方の塵埃分離部に戻りにくくし、除塵フィルターに再付着しないことが可能となるので、家庭用電気掃除機及び大型の電気掃除機等や業務用電気掃除機などさまざま種類の電気掃除機に使用することが可能となる。
【符号の説明】
【００６１】
１  掃除機本体
３  車輪
４  キャスター
５  集塵ケース
６  吸引口
７  吸引ホース
８  延長管
９  吸込具
２２ａ  ケース上部
２２ｂ  ケース中央部
２１  電動送風機
２３  塵埃分離部
２４  塵埃収容部
２７  除塵フィルター
２９ａ  主風路
３４  空間部
４０  隔壁板
４１  リブａ
４２  略円錐
４３  通気孔
４４  通気フィルター（フィルター）
４５  リブｂ
５１  粗塵
５２  細塵
【図１】
2012135416.tif 000003
【図２】
2012135416.tif 000004
【図３】
2012135416.tif 000005
【図４】
2012135416.tif 000006
【図５】
2012135416.tif 000007
【図６】
2012135416.tif 000008
【図７】
2012135416.tif 000009
【図８】
2012135416.tif 000010
【図９】
2012135416.tif 000011
【図１０】
2012135416.tif 000012
【図１１】
2012135416.tif 000013